(57)【要約】【課題】従来のレゾルバステータは、ティースが１枚の金属板から構成されているので、ティースの体積が小さく、変圧比及び入力インピーダンスが低くなっている。【解決手段】本発明によるレゾルバステータは、ティース１２にティース基部１２ａとティース積層部１２ｂとを設け、ティース基部１２ａがステータヨーク１１から軸方向１１ｂに沿って突出され、ティース積層部１２ｂが折返し部１２ｃを介してティース基部１２ａと一体に設けられるとともに、ステータヨーク１１の径方向１１ｃに沿ってティース基部１２ａに重ねられる構成である。【選択図】図２
2011239531.tif 000002
【特許請求の範囲】
【請求項１】
輪状のステータヨーク（１１）と、
前記ステータヨーク（１１）の周方向（１１ａ）に互いに間隔を置いて前記ステータヨーク（１１）から軸方向（１１ｂ）に沿って突出された複数のティース（１２）と
を備え、
前記ティース（１２）は、前記ステータヨーク（１１）から前記軸方向（１１ｂ）に沿って突出されたティース基部（１２ａ）と、折返し部（１２ｃ）を介して前記ティース基部（１２ａ）と一体に設けられるとともに、前記ステータヨーク（１１）の径方向（１１ｃ）に沿って前記ティース基部（１２ａ）に重ねられた少なくとも１つのティース積層部（１２ｂ）とを有していることを特徴とするレゾルバステータ。
【請求項２】
前記ティース基部（１２ａ）は、前記ステータヨーク（１１）の外径側縁部（１３）から前記軸方向（１１ｂ）に沿って突出されていることを特徴とする請求項１記載のレゾルバステータ。
【請求項３】
前記周方向（１１ａ）に関して前記ティース（１２）間に配置され、前記外径側縁部（１３）から前記径方向（１１ｃ）に沿って突出された複数の扇状舌片体（１５）をさらに備えていることを特徴とする請求項２記載のレゾルバステータ。
【発明の詳細な説明】
【技術分野】
【０００１】
本発明は、レゾルバステータに関し、特に、少なくとも１つのティース積層部が、折返し部を介してティース基部と一体に設けられるとともに、ステータヨークの径方向に沿ってティース基部に重ねられるようにすることで、製造コストの増大を抑えつつ、変圧比及び入力インピーダンスを向上できるようにするための新規な改良に関するものである。
【背景技術】
【０００２】
従来用いられていたこの種のレゾルバステータとしては、例えば下記の特許文献１，２等に示されている構造を挙げることができる。図８は、従来のレゾルバステータ１０を示す斜視図である。図において、レゾルバステータ１０には、ステータヨーク１１と複数のティース１２とが設けられている。ステータヨーク１１は、例えば鋼板等の１枚の金属板が輪状に成形されたものである。ティース１２は、ステータヨーク１１の周方向１１ａに互いに間隔を置いてステータヨーク１１から軸方向１１ｂに沿って突出されたものである。このティース１２は、ステータヨーク１１に一体に設けられた長手状舌片体１４が軸方向１１ｂに沿って立ち上げられたものである。
【先行技術文献】
【特許文献】
【０００３】
【特許文献１】特許第３０２３３６０号公報
【特許文献２】特許第３０２４９７２号公報
【発明の概要】
【発明が解決しようとする課題】
【０００４】
上記のような従来のレゾルバステータでは、ステータヨーク１１が１枚の金属板から構成されているので、各ティース１２も金属板１枚のみとなっている。このため、例えば特開２００６−１３８８０５号公報等に示される金属板を積層するラジアル検出型のレゾルバステータと比較して、各ティース１２の体積が小さく、変圧比及び入力インピーダンスが低くなっている。変圧比及び入力インピーダンスを向上させる方法としては、ラジアル検出型のレゾルバステータと同様にレゾルバステータ１０全体を積層構造とするか、又はティース１２に巻回する巻線の量を増やす方法が考えられるが、これらの方法では製造コストが大幅に増大してしまう。
【０００５】
本発明は、上記のような課題を解決するためになされたものであり、その目的は、製造コストの増大を抑えつつ、変圧比及び入力インピーダンスを向上できるレゾルバステータを提供することである。
【課題を解決するための手段】
【０００６】
本発明に係るレゾルバステータは、輪状のステータヨークと、前記ステータヨークの周方向に互いに間隔を置いて前記ステータヨークから軸方向に沿って突出された複数のティースとを備え、前記ティースは、ステータヨークから前記軸方向に沿って突出されたティース基部と、折返し部を介してティース基部と一体に設けられるとともに、ステータヨークの径方向に沿ってティース基部に重ねられた少なくとも１つのティース積層部とを有している。
また、前記ティース基部は、前記ステータヨークの外径側縁部から突出されている。
さらに、前記周方向に関して前記ティース間に配置され、前記外径側縁部から前記径方向に沿って突出された複数の扇状舌片体をさらに備えている。
【発明の効果】
【０００７】
本発明のレゾルバステータによれば、少なくとも１つのティース積層部が、折返し部を介してティース基部と一体に設けられるとともに、ステータヨークの径方向に沿ってティース基部に重ねられるので、ステータヨークを１枚の金属板から構成しつつ、ティースの体積を大きくできる。これにより、製造コストの増大を抑えつつ、変圧比及び入力インピーダンスを向上できる。
【図面の簡単な説明】
【０００８】
【図１】本発明の実施の形態１によるレゾルバステータを示す平面図である。
【図２】図１の線ＩＩ−ＩＩに沿うティースの断面図である。
【図３】図２のティースの変形例を示す説明図である。
【図４】図２のティースの別の変形例を示す説明図である。
【図５】本発明の実施の形態２によるレゾルバステータを示す平面図である。
【図６】図５の線ＶＩ−ＶＩに沿うティースの断面図である。
【図７】図６のティースの変形例を示す説明図である。
【図８】従来のレゾルバステータを示す斜視図である。
【発明を実施するための形態】
【０００９】
以下、本発明を実施するための形態について、図面を参照して説明する。
実施の形態１．
図１は、本発明の実施の形態１によるレゾルバステータ１０を示す平面図であり、図２は、１の線ＩＩ−ＩＩに沿うティース１２の断面図である。図１に示すように、レゾルバステータ１０には、ステータヨーク１１と、複数のティース１２と、複数の扇状舌片体１５とが設けられている。ステータヨーク１１は、例えば鋼板等の輪状の金属板である。ティース１２は、ステータヨーク１１の周方向１１ａに互いに間隔を置いてステータヨーク１１から軸方向１１ｂに沿って突出されたものである（図２参照）。図示はしないが、ティース１２にはボビンを介して巻線が巻回され、径方向１１ｃに沿うティース１２の内方又は外方には周知のロータが配置される。すなわち、レゾルバステータ１０は、角度検出器であるレゾルバを構成するものである。
【００１０】
図２に示すように、ティース１２は、ステータヨーク１１と一体に設けられたティース基部１２ａとティース積層部１２ｂとを有している。ティース基部１２ａは、ステータヨーク１１の外径側縁部１３から軸方向１１ｂに沿って突出されている。ティース積層部１２ｂは、折返し部１２ｃを介してティース基部１２ａに一体に設けられるとともに、ステータヨーク１１の径方向１１ｃに沿ってティース基部１２ａに重ねられている。
【００１１】
すなわち、この実施の形態１のティース１２は、図１で一点鎖線にて示すようにステータヨーク１１の外径側縁部１３から放射状に延出された長手状舌片体１４が、ステータヨーク１１の軸方向１１ｂに沿って立ち上げられた後に所定長さで１８０°折り曲げられて、ステータヨーク１１の径方向１１ｃに沿って重ねられることで形成されたものである。なお、長手状舌片体１４は、プレス曲げ加工により折り曲げられる。このように構成することで、ステータヨーク１１を１枚の金属板から構成しつつ、ティース１２の体積を大きくできる。
【００１２】
図１に戻り、扇状舌片体１５は、周方向１１ａに関してティース１２間に配置され、ステータヨーク１１の外径側縁部１３から径方向１１ｃに沿って放射状に突出されている。各扇状舌片体１５の外端部１５ａは、ステータヨーク１１の外径よりも大きな外径を有する略環状体を複数の扇状舌片体１５が全体として形成するように、円弧状に形成されている。この扇状舌片体１５は、例えば車両等の取付対象にレゾルバステータ１０を取付けるために使用されるものである。
【００１３】
次に、図３は、図２のティース１２の変形例を示す説明図である。図２では、長手状舌片体１４が、ステータヨーク１１の軸方向１１ｂに沿って立ち上げられた後に所定長さで１回だけ１８０°折り曲げられる形態を示したが、図３に示すように長手状舌片体１４は複数回１８０°折り曲げられてもよい。すなわち、ティース１２は、長手状舌片体１４がステータヨーク１１の軸方向１１ｂに沿って立ち上げられた後に所定長さで少なくとも１回１８０°折り曲げられることで形成でき、少なくとも１つのティース積層部１２ｂを有ることができる。
【００１４】
次に、図４は、図２のティース１２の別の変形例を示す説明図である。図２では、ティース１２は、長手状舌片体１４が、ステータヨーク１１の軸方向１１ｂに沿って立ち上げられた後に、径方向１１ｃに沿う外方に向けて折り曲げられた形態を示したが、図４に示すように長手状舌片体１４を径方向１１ｃに沿う内方に向けて折り曲げることでティース１２を形成することもできる。すなわち、ティース積層部１２ｂは、径方向１１ｃに沿うティース基部１２ａに内側及び外側のいずれにも重ねることができる。
【００１５】
なお、ティース積層部１２ｂは、ロータがティース１２の内方に配置される場合（レゾルバがインナーロータタイプの場合）にはティース基部１２ａの外側に重ねられ、ロータがティース１２の外方に配置される場合（レゾルバがアウターロータタイプの場合）にはティース基部１２ａの内側に配置されることが好ましい。このように構成することで、ロータとティース１２との間のギャップをより正確に管理できる。
【００１６】
このようなレゾルバステータ１０では、少なくとも１つのティース積層部１２ｂが、折返し部１２ｃを介してティース基部１２ａと一体に設けられるとともに、ステータヨーク１１の径方向１１ｃに沿ってティース基部１２ａに重ねられるので、ステータヨーク１１を１枚の金属板から構成しつつ、ティース１２の体積を大きくできる。これにより、製造コストの増大を抑えつつ、変圧比及び入力インピーダンスを向上できる。そして、変圧比及び入力インピーダンスを向上できることで、より小さな１次電流でもより大きな出力電圧を得ることができ、入力電源回路の部品コストの低減及びＳ／Ｎ比の向上を図ることができる。
【００１７】
また、ティース基部１２ａがステータヨーク１１の外径側縁部１３から突出されているので、長手状舌片体１４が外径側縁部１３から径方向１１ｃに沿う外方に延出された素材を使用してレゾルバステータ１０を作成できる。これにより、ステータヨーク１１の内径に制限されずに長手状舌片体１４の長さを設定でき、ティース１２の体積増大の自由度を向上できる。すなわち、ティース基部１２ａがステータヨーク１１の外径側縁部１３から突出される構成は、長手状舌片体１４を複数回折り曲げてティース１２を形成する形態に特に有効である。
【００１８】
さらに、径方向１１ｃに沿って複数の扇状舌片体１５が外径側縁部１３から突出されているので、扇状舌片体１５を使用してレゾルバステータ１０を取付対象に取付けでき、レゾルバステータ１０の取付対象への取付けを容易にできる。詳細に説明すると、ステータヨーク１１の外径側縁部１３からティース基部１２ａが突出されている構成では、レゾルバステータ１０の取付対象への取付けにステータヨーク１１の外径側を使用することが難しくなるので、ステータヨーク１１の内径側を取付けに使用する必要がある。しかしながら、ステータヨーク１１の内径側には、回転角度の検出対象であるシャフトが通されることが多く、ステータヨーク１１の取付けが困難になる。そこで、扇状舌片体１５を形成することで、ステータヨーク１１の外径側をレゾルバステータ１０の取付けに使用できるようになり、レゾルバステータ１０の取付対象への取付けを容易にできる。
【００１９】
実施の形態２．
図５は本発明の実施の形態２によるレゾルバステータ１０を示す平面図であり、図６は図５の線ＶＩ−ＶＩに沿うティース１２の断面図である。なお、実施の形態１の構成と同一又は同等部分については同一の符号を用いて説明する。実施の形態１では、ティース基部１２ａがステータヨーク１１の外径側縁部１３から軸方向１１ｂに沿って突出される形態を説明したが、図５及び図６に示すように、ティース基部１２ａは、ステータヨーク１１の内径側縁部１６から軸方向１１ｂに沿って突出されてもよい。すなわち、レゾルバステータ１０は、ステータヨーク１１の内径側縁部１６から径方向１１ｃに沿う内方に長手状舌片体１４が延出されていている素材からも作成できる。
【００２０】
次に、図７は、図６のティース１２の変形例を示す説明図である。図６では、ティース１２は、長手状舌片体１４が、ステータヨーク１１の軸方向１１ｂに沿って立ち上げられた後に、径方向１１ｃに沿う外方に向けて折り曲げられた形態を示したが、この実施の形態２の構成においても、図６に示すように長手状舌片体１４を径方向１１ｃに沿う内方に向けて折り曲げることでティース１２を形成することもできる。
【符号の説明】
【００２１】
１０  レゾルバステータ
１１  ステータヨーク
１２  ティース
１２ａ  ティース基部
１２ｂ  ティース積層部
１２ｃ  折返し部
１３  外径側縁部
【図１】
2011239531.tif 000003
【図２】
2011239531.tif 000004
【図３】
2011239531.tif 000005
【図４】
2011239531.tif 000006
【図５】
2011239531.tif 000007
【図６】
2011239531.tif 000008
【図７】
2011239531.tif 000009
【図８】
2011239531.tif 000010